(57)【要約】【課題】撮像ユニットを小型に維持してファインダ機能を備える。【解決手段】撮像ユニット３を携帯型プリンタ４に着脱可能に構成する。撮像ユニット３を装着する際には、撮像ユニット３の取付部３０を携帯型プリンタ４の被取付部４０に挿入する。携帯型プリンタ４の被取付部４０には、塵埃の侵入を防止するために、外カバー４４と内カバー４５とからなる保護カバー４３を設ける。この保護カバー４３は、内カバー４５を外カバー４４に対して折り畳んだ状態で被取付部４０を覆う閉じ位置と、内カバー４５を展開して内カバー４５に形成したファインダ窓４８を機能させる開き位置とをとる。【選択図】図２
2007130899.tif 000002
【特許請求の範囲】
【請求項１】
撮影レンズによって結像された被写体像を撮像する撮像素子を内蔵した撮像ユニットと、この撮像ユニットが着脱自在な携帯型プリンタとから構成され、前記撮像ユニットの取付部を前記携帯型プリンタの被取付部に取り付けることにより前記撮像ユニットが前記携帯型プリンタとの間で電気的に接続されて装着され、前記撮像ユニットが装着された前記携帯型プリンタを把持した状態で撮影が行われ、この撮影による撮影画像に基づいてプリントが行われるカメラシステムにおいて、
前記撮像ユニットの非装着時には前記取付部または前記被取付部を覆って保護し、前記撮像ユニットの装着時には被写体の撮影範囲を確認するためのファインダとして使用される保護部を備えたことを特徴とするカメラシステム。
【請求項２】
前記保護部は、凹状に形成された前記被取付部を保護する保護カバーであって、この保護カバーは、前記被取付部を覆って保護する第１位置と、前記被取付部を露呈させるとともに前記保護カバーに形成されたファインダ窓を通して前記被写体を視認させる第２位置とをとることを特徴とする請求項１記載のカメラシステム。
【請求項３】
前記保護カバーは、前記被取付部近傍に設けられた第１支持軸を中心に回転自在であり、板状に形成された外カバーと、前記外カバーに設けられた第２支持軸を中心に回転自在であり、ファインダ窓が形成された内カバーとから構成され、前記第１位置では、前記外カバーが前記被取付部の開口を閉じるとともに前記内カバーが前記外カバーに対して前記被取付部側に折り畳まれ、前記第２位置では、前記外カバーが前記被取付部の開口を開放するとともに前記内カバーが前記外カバーに対して展開されることを特徴とする請求項２記載のカメラシステム。
【請求項４】
前記内カバーには、前記ファインダ窓より小さいサイズで形成され前記ファインダ窓の中央部に配置された内枠が設けられており、この内枠は、前記内カバーが前記外カバーに対して折り畳まれたときに前記外カバーとは反対側に突出するように形成され、前記第１位置では前記被取付部に形成された嵌合部に嵌合して固定されることを特徴とする請求項３記載のカメラシステム。
【請求項５】
前記撮像ユニットを装着したときに前記撮影レンズに対向するようにして前記被取付部を前記携帯型プリンタに配置することにより、前記撮影レンズの光軸方向から見たときに、前記保護カバーに形成されたファインダ窓の中心が、前記撮影レンズの中心を通って上下方向に延びる線上に位置するようにしたことを特徴とする請求項２ないし４いずれか１項記載のカメラシステム。
【請求項６】
前記ファインダ窓に対して前記撮影レンズの光軸方向に並ぶようにして別のファインダ窓を配置し、前記ファインダ窓及び前記別のファインダ窓のうち、一方を接眼側ファインダ窓として用い、他方を対物側ファインダ窓として用いることを特徴とする請求項２ないし５いずれか１項記載のカメラシステム。
【請求項７】
前記保護部は、凸状に形成された前記取付部を保護する保護キャップであって、この保護キャップは、前記取付部に装着される第１位置と、この取付部から脱着されて前記撮像ユニットまたは前記携帯型プリンタに装着されて前記保護キャップに形成されたファインダ窓を通して前記被写体を視認させる第２位置とをとることを特徴とする請求項１記載のカメラシステム。
【請求項８】
前記保護キャップは前記撮影レンズに対向するようにして装着されて前記第２位置をとり、前記撮影レンズの光軸方向から見たときに、前記ファインダ窓の中心が、前記撮影レンズの中心を通って上下方向に延びる線上に位置するようにしたことを特徴とする請求項７記載のカメラシステム。
【発明の詳細な説明】
【技術分野】
【０００１】
本発明は、撮像素子が内蔵された撮像ユニットと、この撮像ユニットが着脱自在な携帯型プリンタとからなるカメラシステムに関する。
【背景技術】
【０００２】
カメラ付き携帯電話などの撮影機器から画像データを受信し、この画像データに基づいてプリンタ内部に収納したインスタントフイルムに画像を記録する携帯型プリンタが知られている。本出願人は、この携帯型プリンタに小型な撮像ユニットを装着し、携帯型プリンタをデジタル版のインスタントカメラとしても使用できるようにすることを提案している。
【０００３】
この場合には、撮像ユニットと携帯型プリンタとを電気的に接続するために、撮像ユニットの接続端子を携帯型プリンタの接続コネクタに挿入するようにされている。接続コネクタは凹状に形成されて塵埃が溜りやすくなっていることから、この接続コネクタには保護カバーが設けられる。
【発明の開示】
【発明が解決しようとする課題】
【０００４】
この保護カバーを着脱自在に設けた場合には保護カバーを紛失するおそれがあった。また、保護カバーを接続コネクタの開口が開閉自在になるように取り付けた場合には、保護カバーが開き位置にあるときに保護カバーが携帯型プリンタの外周面から突出するなどし、操作の邪魔になるという問題があった。
【０００５】
ところで、撮像ユニットは必要に応じて着脱されるものであり、携帯型プリンタと共に持ち運ばれる付属品であることから、できるだけ小型にすることが好ましい。撮像ユニットの小型化を優先して設計を行った場合には、撮像ユニットには撮影に最低限必要なもの、例えば撮影レンズ及び固体撮像素子などだけが搭載される。このため、適正なフレーミングを行うために、ある程度の大きさが必要になるファインダは、撮像ユニットに搭載するのが難しかった。ファインダを搭載しない場合には、当然ながら被写体の構図を正確に定めることが難しく、失敗写真が増加するという問題が生じてしまう。
【０００６】
本発明は、上記事情を考慮してなされたものであり、撮像ユニット及び携帯型プリンタからなり、撮像ユニットを小型に維持してファインダ機能を備えるとともに、使い勝手が良いカメラシステムを提供することを目的とする。
【課題を解決するための手段】
【０００７】
本発明は、撮影レンズによって結像された被写体像を撮像する撮像素子を内蔵した撮像ユニットと、この撮像ユニットが着脱自在な携帯型プリンタとから構成され、前記撮像ユニットの取付部を前記携帯型プリンタの被取付部に取り付けることにより前記撮像ユニットが前記携帯型プリンタとの間で電気的に接続されて装着され、前記撮像ユニットが装着された前記携帯型プリンタを把持した状態で撮影が行われ、この撮影による撮影画像に基づいてプリントが行われるカメラシステムに関し、前記撮像ユニットの非装着時には前記取付部または前記被取付部を覆って保護し、前記撮像ユニットの装着時には被写体の撮影範囲を確認するためのファインダとして使用される保護部を備えたことを特徴とする。
【０００８】
前記保護部は、凹状に形成された前記被取付部を保護する保護カバーであって、この保護カバーは、前記被取付部を覆って保護する第１位置と、前記被取付部を露呈させるとともに前記保護カバーに形成されたファインダ窓を通して前記被写体を視認させる第２位置とをとることが好ましい。これにより、被取付部を保護する保護カバーを、撮像ユニットの装着時にファインダとして用いることができる。
【０００９】
前記保護カバーは、前記被取付部近傍に設けられた第１支持軸を中心に回転自在であり、板状に形成された外カバーと、前記外カバーに設けられた第２支持軸を中心に回転自在であり、ファインダ窓が形成された内カバーとから構成され、前記第１位置では、前記外カバーが前記被取付部の開口を閉じるとともに前記内カバーが前記外カバーに対して前記被取付部側に折り畳まれ、前記第２位置では、前記外カバーが前記被取付部の開口を開放するとともに前記内カバーが前記外カバーに対して展開されることが好ましい。外カバーが被取付部への塵埃の侵入を防止し、内カバーがファインダの一部になる。保護カバーはコンパクトに構成される。
【００１０】
前記内カバーには、前記ファインダ窓より小さいサイズで前記ファインダ窓の中央部に配置された内枠が設けられており、この内枠は、前記内カバーが前記外カバーに対して折り畳まれたときに前記外カバーとは反対の方向に突出するように形成され、前記第１位置では前記被取付部に形成された嵌合部に嵌合して固定されることが好ましい。内カバーの内枠を嵌合部に嵌合させて固定することにより、保護カバーが保護位置から外れにくくなる。
【００１１】
前記撮像ユニットを装着したときに前記撮影レンズに対向するようにして前記被取付部を前記携帯型プリンタに配置することにより、前記撮影レンズの光軸方向から見たときに、前記保護カバーに形成されたファインダ窓の中心が、前記撮影レンズの中心を通って上下方向に延びる線上に位置するようにすることが好ましい。これにより、左右方向でのパララックスがなくなる。
【００１２】
前記ファインダ窓に対して前記撮影レンズの光軸方向に並ぶようにして別のファインダ窓を配置し、前記ファインダ窓及び前記別のファインダ窓のうち、一方を接眼側ファインダ窓として用い、他方を対物側ファインダ窓として用いることが好ましい。接眼側ファインダ窓と対物側ファインダ窓とを重ね合わせて被写体を眺めることにより、より正確に被写体の構図を定めることができる。
【００１３】
前記保護部は、凸状に形成された前記取付部を保護する保護キャップであって、この保護キャップは、前記取付部に装着される第１位置と、この取付部から脱着されて前記撮像ユニットまたは前記携帯型プリンタに装着されて前記保護キャップに形成されたファインダ窓を通して前記被写体を視認させる第２位置とをとることが好ましい。保護キャップを、撮像ユニットの装着時にファインダとして用いることができる。
【００１４】
前記保護キャップは前記撮影レンズに対向するようにして装着されて前記第２位置をとり、前記撮影レンズの光軸方向から見たときに、前記ファインダ窓の中心が、前記撮影レンズの中心を通って上下方向に延びる線上に位置するようにすることが好ましい。これにより、左右方向でのパララックスがなくなる。
【発明の効果】
【００１５】
本発明のカメラシステムによれば、撮像ユニットの取付部を覆う保護部または携帯型プリンタの被取付部を覆う保護部が、撮像ユニットの装着時にファインダとして用いられるため、撮像ユニットに別個にファインダを設ける必要がなくなる。これにより、撮像ユニットを小型に維持しながらもファインダ機能を備えることが可能になる。また、保護部が撮像ユニットの装着時にファインダとして有効に用いられるため、保護部は撮像ユニットの装着時に操作の邪魔になることがない。保護部が着脱自在にされている場合には保護部の紛失が防止される。
【発明を実施するための最良の形態】
【００１６】
図１に示すように、本発明のカメラシステム２は、撮影機能を備えており、撮像ユニット３と、携帯型プリンタ４（以下、プリンタ４）とから構成される。撮像ユニット３は必要に応じてプリンタ４に着脱される。なお、撮像ユニット３を装着する際には、後述する保護カバー４３を開き位置に移動させる必要があるが、図１においては閉じ位置に位置している。
【００１７】
撮像ユニット３には、上面３ａに対して傾斜する傾斜面３ｄが形成されている。この傾斜面３ｄには、撮影時に押圧操作されるレリーズボタン１０が設けられている。撮像ユニット３の前面３ｂには、撮影レンズ１１及びミラー１２が設けられている。ミラー１２は、自分自身を撮影する際に使用されるものである。
【００１８】
プリンタ４の前面４ｂにはグリップ１３が設けられている。このグリップ１３は、ゴム製であり、上下方向に延びるようにして前面４ｂの左側に設けられている。グリップ１３は、撮像ユニット３の装着時には、レリーズボタン１０の下方に位置することとなる。グリップ１３に指をかけてプリンタ４を把持したときには、人差し指がレリーズボタン１０に届くようになっている。なお、グリップ１３の材質及び形状は上記に限られるものではない。
【００１９】
また、プリンタ４の前面４ｂには、ＩｒＤＡ送受信部１４、電源ボタン１５、リピートボタン１６、カウンタ１７が設けられている。ＩｒＤＡ送受信部１４は、ＩｒＤＡに準拠した赤外線通信を行うことが可能であり、例えばカメラ付き携帯電話などから画像データを受信することができる。リピートボタン１６は、前回のプリントと同様のプリントを行う際に操作される。カウンタ１７は、プリンタ４に収納されているインスタントフイルム１９の残り枚数を表示する。
【００２０】
図２に示すように、プリンタ４の背面４ｃには、フイルム装填室（図示せず）を開閉するフイルムドア１８が設けられている。フイルム装填室には、フイルムドア１８を開放した状態で、複数枚のインスタントフイルム１９を装填することができる。プリンタ４の側面にはフイルム排出口２０が設けられ、このフイルム排出口２０から画像記録後のインスタントフイルム１９が排出される。なお、撮像ユニット３の背面３ｃは平面状とされている。
【００２１】
図３は、図１及び図２のIII−III線に沿って切断したときの撮像ユニット３の断面を示したものである。図２及び図３に示すように、撮像ユニット３の上面３ａには、撮影レンズ１１に対向するようにして矩形板２５が設けられている。矩形板２５には撮影範囲を認識させるための対物側ファインダ窓２６が形成されている。矩形板２５は、上面３ａの前部に設けられた支持軸２７を中心に回転自在であり、上面３ａに接するようにして畳まれた畳み位置と、この畳み位置から９０度回転した使用位置とをとる。矩形板２５が使用位置に位置しているときに、対物側ファインダ窓２６の中心が、撮影レンズ１１の中心を含み上下方向に延びる線２９上に位置するようにされ、左右方向でのパララックスが生じないようにされている。対物側ファインダ窓２６の中央部には、被写体の構図を正確に定めるための内枠２８が設けられている。対物側ファインダ窓２６において、内枠２８及びこの内枠２８支持するスポーク以外の部位は矩形板２５の表裏方向に貫通させてもよいし、透明な部材で形成してもよい。撮像ユニット３の下面３ｅには、取付部３０が設けられている。この取付部３０は、直方体状の接続端子３１と、この接続端子３１を支持する直方体状の基部３２とから構成され、全体が凸状に形成されている。
【００２２】
図４は、図１及び図２のIV−IV線に沿って切断したときの携帯型プリンタ４の断面を示したものである。図２及び図４に示すように、携帯型プリンタ４の上面４ａには、撮像ユニット３の取付部３０が挿入される被取付部４０が設けられている。被取付部４０は、接続コネクタ４１と、この接続コネクタ４１の上方に接続コネクタ４１の開口４１ａよりも広く形成された溝部４２とから構成され、全体が凹状に形成されている。接続コネクタ４１は接続端子３１に合わせたサイズにされており、溝部４２は基部３２に合わせたサイズにされている。
【００２３】
被取付部４０近傍には、被取付部４０を覆う保護カバー４３が設けられている。保護カバー４３は、外カバー４４と、内カバー４５とから構成される。外カバー４４は、矩形板状に形成されて溝部４２に合わせたサイズとされ、上面４ａの後部に設けられた支持軸４６を中心に回転自在である。また、内カバー４５は、外カバー４４とほぼ同じサイズで形成され、外カバー４４に支持軸４６とは反対側に設けられた支持軸４７を中心に回転自在である。この内カバー４５には接眼側ファインダ窓４８が形成され、接眼側ファインダ窓４８の中央部には内枠４９が設けられている。接眼側ファインダ窓４８は対物側ファインダ窓２６と同サイズであり、内枠４９は内枠２８と同サイズである。ただし、内枠４９は、内カバー４５が外カバー４４に対して折り畳まれたときに、外カバー４４とは反対側に突出するように形成されている。内枠４９の前後方向での長さは、接続コネクタ４１の開口４１ａの前後方向での長さとほぼ同じにされており、内枠４９を接続コネクタ４１に嵌め込んで固定できるようになっている。接続コネクタ４が嵌合部の役割を果たしている。接眼側ファインダ窓４８において、内枠４８及びこの内枠４８を支持するスポーク以外の部位は、内カバーの表裏方向に貫通させてもよいし、透明な部材で形成してもよい。
【００２４】
保護カバー４３は、被取付部４０を覆う図４（Ａ）に示す閉じ位置（第１位置）と、ファインダとして使用される図４（Ｃ）に示す開き位置（第２位置）とをとる。保護カバー４３を閉じ位置から開き位置へ変位させる場合には、図４（Ｂ）に示すように、外カバー４４及び内カバー４５を折り畳んだ状態のまま支持軸４６を中心に回転させ、次に内カバー４５を支持軸４７を中心に回転させて展開させるようにする。保護カバー４３が閉じ位置にあるときには内枠４９が接続コネクタ４１に嵌り込んで固定され、これにより保護カバー４３が容易には外れないようになっている。
【００２５】
撮像ユニット３をプリンタ４に装着するときには、撮像ユニット３の矩形板２５を使用位置に移動させるとともに、プリンタ４の保護カバー４３を開き位置に移動させ、撮像ユニット３の取付部３０をプリンタ４の被取付部４０に挿入する。これにより、撮像ユニット３がプリンタ４に固定されるとともに、接続端子３１が接続コネクタ４１に接続されて撮像ユニット３とプリンタ４とが電気的に接続されデータ及び電力の授受が可能になる。なお、撮像ユニット３を装着したときには、接眼側ファインダ窓４８の中心が、撮影レンズ１１の中心を含み上下方向に延びる線２９上に位置するようにされ、左右方向でのパララックスが生じないようにされている。
【００２６】
カメラシステム２の電気的構成を示すブロック図である図５に示すように、撮像ユニット３側において、撮影レンズ１１の後方にはＣＣＤイメージセンサ６０が配置されている。ＣＣＤイメージセンサ６０は、ＣＣＤ駆動部６１に接続されており、このＣＣＤ駆動部６１によって駆動を制御されている。ＣＣＤイメージセンサ６０は、光学的な被写体画像を電気的な撮像信号に変換して出力する。撮像信号はアンプ６２で適当なレベルに増幅された後、Ａ／Ｄ変換器６３によってデジタル変換されて画像データとなる。この画像データは、画像処理部６４に入力されて、階調変換、ホワイトバランス補正、γ補正等の各種画像処理が施される。なお、画像処理部６４はプリンタ４側に設けることとしてもよい。
【００２７】
撮像ユニット用システム制御部６５では、プリンタ用システム制御部６６と交信を行いながら、撮像ユニット３側の撮影処理などを管制している。撮像ユニット用システム制御部６５には、レリーズボタン１０が接続されている。レリーズボタン１０が押圧操作されると、画像処理が施された画像データが接続端子３１及び接続コネクタ４１を介してプリンタ４側へ送られ、この画像データがメモリ６７に書き込まれる。
【００２８】
ＩｒＤＡ送受信部１４で赤外線通信により画像データを受信した場合にも、画像データはメモリ６７に書き込まれる。
【００２９】
プリンタ用システム制御部６６は、撮像ユニット用システム制御部６５と交信を行いながら、プリンタ４側のプリント処理などを管制している。プリンタ用システム制御部６６には、電源ボタン１５、リピートボタン１６が接続されている。プリンタ用システム制御部６６では、撮像ユニット３からの画像データを受信するか、ＩｒＤＡ送受信部１４を介して画像データを受信するか、またはリピートボタン１６が操作されたときに、プリントを指示する。
【００３０】
プリンタ４には、インスタントフイルム１９を搬送する搬送機構６８が備えられ、この搬送機構６８は搬送機構駆動部６９によって制御される。搬送機構６８は、搬送ローラ及び展開ローラなどを有している。搬送ローラは、最も背面側にあるインスタントフイルム１９をフイルム排出口２０に向かって搬送する。展開ローラは、搬送されるインスタントフイルム１９を挟持することにより、インスタントフイルム１９に設けられた現像溜まりを押し潰して現像剤を展開する。
【００３１】
また、プリンタ４には、インスタントフイルム１９に画像を書き込むプリントヘッド７０が備えられ、このプリントヘッド７０はヘッド駆動部７１によって制御される。プリントヘッド７０は、Ｒ（赤）、Ｇ（緑）、Ｂ（青）の発光色を持つ３色のＬＥＤ、光ガイド、及び液晶シャッタなどを有している。３色のＬＥＤは順に発光し、各色光は光ガイドを経てインスタントフイルム１９上に導かれる。ここで、光路の途中には液晶シャッタが配置されており、この液晶シャッタにより各色光の透過量が画像データに応じて制御される。各色光が照射されたインスタントフイルム１９上には、主走査方向（インスタントフイルム１９の幅方向）に延びる１ライン分の潜像が記録されることとなる。インスタントフイルム１９は主走査方向に直交する副走査方向に搬送され、このインスタントフイルム１９上には順次ラインが記録されてゆく。潜像が記録された領域に現像剤が展開されると画像が顕在化する。
【００３２】
プリンタ４内にはバッテリ７２が配置され、このバッテリ７２がプリンタ４の各部に電力を供給している。また、このバッテリ７２は、接続コネクタ４１及び接続端子３１を介して、撮像ユニット３の各部にも電力を供給している。
【００３３】
以下、上記構成による作用を図６のフローチャートの流れに沿って説明する。撮像ユニット３をプリンタ４に装着する際には、撮像ユニット３の矩形板２５を畳み位置から使用位置に変位させるとともに、プリンタ４の保護カバー４３を閉じ位置から開き位置に変位させる。次いで、撮像ユニット３の取付部３０をプリンタ４の被取付部４０に挿入して、図７及び図８に示すように撮像ユニット３を装着し、撮像ユニット３とプリンタ４とを機械的及び電気的に接続させる。
【００３４】
プリンタ４の電源ボタン１５を押圧操作すると、撮像ユニット３及びプリンタ４の電源がオンになり、撮影が可能な状態になる。撮像ユニット３が装着されたプリンタ４を把持する際には、右手の中指、薬指、及び小指で前面４ｂのグリップ１３を握り、人差し指をレリーズボタン１０にのせ、親指で背面４ｃを支えるようにする。
【００３５】
撮影を行う際には、対物側ファインダ窓２６及び内枠２８が、接眼側ファインダ窓４８及び内枠４９に重なるようにして、これらのファインダ窓２６，４８を通して被写体を眺め、構図を定めるようにする。人差し指によりレリーズボタン１０を押圧操作すると、その時点における被写体画像の画像データが取得される。この画像データは画像処理が施された後にプリンタ４側へ自動的に送信され、一旦メモリ６７に記録される。
【００３６】
装着された撮像ユニット３を用いて撮影が行われた場合には、この撮像ユニット３により取得された画像データがメモリ６７に記録され、この画像データがプリントデータとされる。また、撮像ユニット３以外の撮影機器、例えばカメラ付き携帯電話などの撮影機器から赤外線通信により画像データを受信した場合には、この画像データがメモリ６７に記録され、この画像データがプリントデータとされる。さらに、画像データを受信せずに、リピートボタン１６が操作された場合には、メモリ６７に記録されている画像データ、つまり前回のプリントで用いられたものと同様の画像データがプリントデータとされる。
【００３７】
プリントの指示が出されると、搬送機構６８が駆動してインスタントフイルム１９の搬送が開始され、このインスタントフイルム１９の搬送に合わせてプリントヘッド７０により１ラインずつ潜像が記録されてゆく。この潜像が記録された領域には搬送に合わせて現像剤が展開されて画像が顕在化されてゆき、画像記録後のインスタントフイルム１９がフイルム排出口２０から排出される。レリーズボタン１０を押圧操作するだけで自動的にプリントが行われることとなり、操作者は撮影直後にすぐに写真を手にすることができる。再びプリントを行う場合には、上記動作が繰り返される。全てのプリントを終え、電源ボタン１５を押圧操作すると、撮像ユニット３及びプリンタ４の各部の駆動が停止される。
【００３８】
本発明によれば、プリンタ４の被取付部４０を保護する保護カバー４３が、撮像ユニット３の装着時にファインダの一部として用いられるため、撮像ユニット３を小型に維持しつつもファインダ機能を備えることができる。また、保護カバー４３が撮像ユニット３の装着時にファインダの一部として有効に用いられるため、保護カバー４３は撮影時に操作の邪魔になることがなくなる。
【００３９】
上記実施形態では、撮像ユニットの上面に矩形板を設け、この矩形板に対物側ファインダ窓を形成したが、この替わりに、撮像ユニットの接続端子を保護する保護キャップを設け、この保護キャップに対物側ファインダ窓を形成してもよい。図９及び図１０に示すように、保護キャップ１００は、接続端子３１に装着される保護位置（第１位置）と、撮像ユニット３の上面３ａに撮影レンズ１１に対向するようにして設けた突部１０１に装着されるファインダ位置（第２位置）とをとることができる。保護キャップ１００には対物側ファインダ窓１０２が形成されている。保護キャップ１００は全体が樹脂で形成されており、対物側ファインダ窓１０２が透明にされ、対物側ファインダ窓１０２以外の部分に着色が施されている。この対物側ファインダ窓１０２の中央部には内枠１０３が形成されており、この内枠１０３は着色を施すことにより形成してもよいし、成形時に凹凸をつけることにより形成してもよい。保護キャップ１００がファインダ位置をとるときに、対物側ファインダ窓１０２の中心が、撮影レンズ１１の中心を含み上下方向に延びる線２９上に位置するようにされ、左右方向でのパララックスが生じないようにされている。
【００４０】
上記実施形態では、接眼側ファインダ窓と対物側ファインダ窓との２つのファインダ窓を用いる形態で説明したが、いずれか一方のみを用いる形態であってもよい。保護カバーに設けたファインダ窓だけを用いる形態であってもよいし、保護キャップに設けたファインダ窓だけを用いる形態であってもよい。
【００４１】
上記実施形態では、撮像ユニットの取付部が凸状であり、携帯型プリンタの被取付部が凹状である構成で説明したが、撮像ユニットの取付部が凹状であり、携帯型プリンタの被取付部が凸状である構成であってもよい。上記実施形態では、レリーズボタンを撮像ユニットに設けたが、プリンタに設けてもよい。
【図面の簡単な説明】
【００４２】
【図１】撮像ユニット及び携帯型プリンタの正面図である。
【図２】撮像ユニット及び携帯型プリンタの背面図である。
【図３】撮像ユニットの矩形板の動きを説明する説明図である。
【図４】携帯型プリンタの保護カバーの動きを説明する説明図である。
【図５】カメラシステムの電気的構成を示すブロック図である。
【図６】カメラシステムによる撮影動作及びプリント動作の全体の流れを示すフローチャートである。
【図７】撮像ユニットを装着した携帯型プリンタの正面図である。
【図８】撮像ユニットを装着した携帯型プリンタの要部側面図である。
【図９】保護位置にある保護キャップを説明する説明図である。
【図１０】ファインダ位置にある保護キャップを説明する説明図である。
【符号の説明】
【００４３】
２  カメラシステム
３  撮像ユニット
４  携帯型プリンタ
２５  矩形板
２６  対物側ファインダ窓
３０  取付部
３１  接続端子
４０  被取付部
４１  接続コネクタ
４３  保護カバー
４８  接眼側ファインダ窓
４９  内枠
１００  保護キャップ
１０２  対物側ファインダ窓
【図１】
2007130899.tif 000003
【図２】
2007130899.tif 000004
【図３】
2007130899.tif 000005
【図４】
2007130899.tif 000006
【図５】
2007130899.tif 000007
【図６】
2007130899.tif 000008
【図７】
2007130899.tif 000009
【図８】
2007130899.tif 000010
【図９】
2007130899.tif 000011
【図１０】
2007130899.tif 000012